(57)【要約】【課題】少ない時間と労力で、マリンホースから応力値や液漏れの情報を読み出して、損傷のあるマリンホースを検知するマリンホースの管理システムを提供する。【解決手段】マリンホース１０同士を連結するフランジ１２は、その円筒部の外面に、液漏れセンサ１３および歪ゲージ１４を備える。信号線１９の一方の端部は、ターミナルコネクタ１６に接続され、液漏れセンサ１３および歪ゲージ１４の情報は、信号線１９を介して一点係留ブイの情報集積装置に伝達される。一点係留ブイにコンピュータを接続して、液漏れセンサ１３および歪ゲージ１４から伝達される情報をコンピュータに取り込み、液漏れがあったマリンホースおよび異常な応力が加わったマリンホースを検知する。【選択図】図２
2006207799.tif 000002
【特許請求の範囲】
【請求項１】
沖合の係留施設に係留されたタンカーから原油や精製油を輸送するために使用されるマリンホースの管理システムにおいて、
前記係留施設とタンカーとの間で連結される複数のマリンホースのうちの少なくとも１つのマリンホースは、マリンホースの損傷を検知するための損傷検知センサを備え、
前記係留施設は、マリンホースに備える信号線を介して前記損傷検知センサから伝達される情報を集積して記憶する情報集積装置と、情報集積装置に集積して記憶された情報を外部に取り出すための外部接続部を備え、
前記外部接続部に情報取得手段を接続し、情報取得手段の表示部に損傷検知センサからの情報を表示して、損傷のあるマリンホースを検知することを特徴とするマリンホースの管理システム。
【請求項２】
沖合の係留施設に係留されたタンカーから原油や精製油を輸送するために使用されるマリンホースの管理システムにおいて、
前記係留施設とタンカーとの間で連結される複数のマリンホースのうちの前記係留施設側に配置される少なくとも１つのマリンホース、および／またはタンカー側に配置される少なくとも１つマリンホースは、マリンホースの損傷を検知するための損傷検知センサを備え、
前記係留施設は、マリンホースに備える信号線を介して前記損傷検知センサから伝達される情報を集積して記憶する情報集積装置と、情報集積装置に集積して記憶された情報を外部に取り出すための外部接続部を備え、
前記外部接続部に情報取得手段を接続し、情報取得手段の表示部に損傷検知センサからの情報を表示して、損傷のあるマリンホースを検知することを特徴とするマリンホースの管理システム。
【請求項３】
沖合の係留施設に係留されたタンカーから原油や精製油を輸送するために使用されるマリンホースの管理システムにおいて、
前記係留施設とタンカーとの間で連結される複数のマリンホースのうちの少なくとも１つのマリンホースは、マリンホースの損傷を検知するための損傷検知センサを備え、
前記係留施設は、マリンホースに備える信号線を介して前記損傷検知センサから伝達される情報を集積して記憶する情報集積装置と、情報集積装置に集積して記憶された情報を外部に取り出すための送受信装置を備え、
前記送受信装置を介して前記情報集積装置に記憶された情報を取得した情報取得手段の表示部に損傷検知センサからの情報を表示して、損傷のあるマリンホースを検知することを特徴とするマリンホースの管理システム。
【請求項４】
沖合の係留施設に係留されたタンカーから原油や精製油を輸送するために使用されるマリンホースの管理システムにおいて、
前記係留施設とタンカーとの間で連結される複数のマリンホースのうちの前記係留施設側に配置される少なくとも１つのマリンホース、および／またはタンカー側に配置される少なくとも１つマリンホースは、マリンホースの損傷を検知するための損傷検知センサを備え、
前記係留施設は、マリンホースに備える信号線を介して前記損傷検知センサから伝達される情報を集積して記憶する情報集積装置と、情報集積装置に集積して記憶された情報を外部に取り出すための送受信装置を備え、
前記送受信装置を介して前記情報集積装置に記憶された情報を取得した情報取得手段の表示部に損傷検知センサからの情報を表示して、損傷のあるマリンホースを検知することを特徴とするマリンホースの管理システム。
【請求項５】
前記係留施設は、電力供給装置を備え、マリンホースに備える電源線を介して前記損傷検知センサに電力を供給することを特徴とする請求項１〜４のいずれかに記載のマリンホースの管理システム。
【請求項６】
前記損傷検知センサは、液漏れセンサおよび／または歪ゲージであることを特徴とする請求項１〜５のいずれかに記載のマリンホースの管理システム。
【請求項７】
前記歪ゲージを、少なくとも４個備えることを特徴とする請求項６に記載のマリンホースの管理システム。
【発明の詳細な説明】
【技術分野】
【０００１】
本発明は、損傷のあるマリンホースを検知してホースが破損する前にマリンホースの交換が行えるようにするマリンホース管理システムに関する。
【背景技術】
【０００２】
原油を輸送するマリンホースは、港湾作業船等による衝突や、疲労による劣化等によってホースに損傷を受けることがあり、以前から、衝突や劣化等による損傷を検知できるようにしたものが知られている。即ち、港湾作業船のホースへの衝突や悪天候等によってホースに強い外力が加わるとホースの外面ゴムが損傷して周囲の海水がホース内に侵入したり、疲労による劣化によって補強部材の内面ゴムが損傷して原油等の輸送流体が漏れ出したりすると、液体がホースの補強繊維層に染み込んで耐圧力を低下等させ、終局的にはホース破壊に至ることがあるため、ホースの損傷を検知すべく、ホース内部の応力や液漏れを検知できるようにしたものである。
【０００３】
例えば、マリンホース内部に応力検知センサを備え、ホースに加わった外力によってホース内に生ずる応力を検知し、応力値に対応した電気信号を出力するものがある。そして、検知された応力をトランスポンダの情報記憶手段によって記憶し、送受信用アンテナを内蔵する読み出し器によって、記憶された応力値を読み出すようにしている（例えば、特許文献１参照）。
【０００４】
また、液漏れを検知できるマリンホースとして、例えば、液体によって膨張する膨潤ゴムを液漏れセンサとして利用し、ホースが損傷して内部に液体が侵入すると、ホース内部の膨潤ゴムが膨張して接点を作動させるようにしたものがある。そして、送受信用アンテナを内蔵する読み出し器によって液漏れの情報を読み出し、損傷を検知するようにしている（例えば、特許文献２参照）。
【特許文献１】特開平１１−１５３２８４号公報  （第２〜７頁、図２、図８）
【特許文献２】特開平１１−３２５３７８号公報  （第２〜４頁、図３〜図５）
【発明の開示】
【発明が解決しようとする課題】
【０００５】
しかしながら、特許文献１および特許文献２に記載のマリンホースは、マリンホースの保守作業員が、送受信用アンテナを内蔵する読み出し器を個々のマリンホースに近づけて、多数のマリンホースから、情報記憶手段に記憶されている応力値や液漏れの情報を読み出して、損傷したマリンホースを検出しなければならず、保守作業員に多大な時間と労力を強いていた。
【０００６】
本発明は、このような問題点に鑑みてなされたものであり、本発明の目的は、保守作業員が、少ない時間と労力で、マリンホースから応力値や液漏れの情報を読み出して、損傷のあるマリンホースを検知することのできるマリンホースの管理システムを提供することにある。
【課題を解決するための手段】
【０００７】
上記目的を達成するため、本発明は、沖合の係留施設に係留されたタンカーから原油や精製油を輸送するために使用されるマリンホースの管理システムにおいて、係留施設とタンカーとの間で連結される複数のマリンホースのうちの少なくとも１つのマリンホースが、マリンホースの損傷を検知するための損傷検知センサを備え、係留施設が、マリンホースに備える信号線を介して損傷検知センサから伝達される情報を集積して記憶する情報集積装置と、情報集積装置に集積して記憶された情報を外部に取り出すための外部接続部を備え、外部接続部に情報取得手段を接続し、情報取得手段の表示部に損傷検知センサからの情報を表示して、損傷のあるマリンホースを検知することを特徴とする。
【０００８】
また、本発明は、沖合の係留施設に係留されたタンカーから原油や精製油を輸送するために使用されるマリンホースの管理システムにおいて、係留施設とタンカーとの間で連結される複数のマリンホースのうちの係留施設側に配置される少なくとも１つのマリンホース、および／またはタンカー側に配置される少なくとも１つマリンホースが、マリンホースの損傷を検知するための損傷検知センサを備え、係留施設が、マリンホースに備える信号線を介して損傷検知センサから伝達される情報を集積して記憶する情報集積装置と、情報集積装置に集積して記憶された情報を外部に取り出すための外部接続部を備え、外部接続部に情報取得手段を接続し、情報取得手段び表示部に損傷検知センサからの情報を表示して、損傷のあるマリンホースを検知することを特徴とする。
【０００９】
また、本発明は、沖合の係留施設に係留されたタンカーから原油や精製油を輸送するために使用されるマリンホースの管理システムにおいて、係留施設とタンカーとの間で連結される複数のマリンホースのうちの少なくとも１つのマリンホースが、マリンホースの損傷を検知するための損傷検知センサを備え、係留施設が、マリンホースに備える信号線を介して損傷検知センサから伝達される情報を集積して記憶する情報集積装置と、情報集積装置に集積して記憶された情報を外部に取り出すための送受信装置を備え、送受信装置を介して情報集積装置に記憶された情報を取得した情報取得手段の表示部に損傷検知センサからの情報を表示して、損傷のあるマリンホースを検知することを特徴とする。
【００１０】
また、本発明は、沖合の係留施設に係留されたタンカーから原油や精製油を輸送するために使用されるマリンホースの管理システムにおいて、係留施設とタンカーとの間で連結される複数のマリンホースのうちの係留施設側に配置される少なくとも１つのマリンホース、および／またはタンカー側に配置される少なくとも１つマリンホースが、マリンホースの損傷を検知するための損傷検知センサを備え、係留施設が、マリンホースに備える信号線を介して損傷検知センサから伝達される情報を集積して記憶する情報集積装置と、情報集積装置に集積して記憶された情報を外部に取り出すための送受信装置を備え、送受信装置を介して情報集積装置に記憶された情報を取得した情報取得手段の表示部に損傷検知センサからの情報を表示して、損傷のあるマリンホースを検知することを特徴とする。
【００１１】
係留施設は、電力供給装置を備え、マリンホースに備える電源線を介して損傷検知センサに電力を供給することが好ましく、損傷検知センサは、液漏れセンサおよび／または歪ゲージであることが好ましい。また、前記歪ゲージは、少なくとも４個備えることが好ましい。
【発明の効果】
【００１２】
本発明は、保守作業員が、個々のマリンホースに近づいてマリンホースから液漏れセンサおよび歪ゲージの情報を読み出す必要がなく、タンカーを係留するための係留施設からマリンホースの情報を一括して読み出して、損傷のあるマリンホースを検知するので、保守作業員の作業時間を少なくし、労力を軽減することができる。
【００１３】
また、係留施設に、各マリンホースの液漏れセンサおよび歪ゲージに電力を供給するための電力供給装置を設置するので、各マリンホースに電力供給装置を備える場合と比べて、大きな電力を液漏れセンサや歪ゲージに安定して供給できるため、マリンホースの情報を安定して得ることができる。さらに、係留施設にのみ電力供給装置を設置するので、各マリンホースに電力供給装置を備える場合と比べて、電力供給装置のメンテナンスが容易となる。
【発明を実施するための最良の形態】
【００１４】
次に、本発明の実施の形態について図面を参照して説明する。図１は、本発明の第１の実施の形態に係るマリンホースの側面図であり、マリンホース１０は、マリンホース本体１１とその両端に設けられたフランジ１２を有する。このマリンホース１０は、１０数本から数１０本のホースをフランジ１２を介して同軸的に長く連結させてホースラインを形成して、原油や精製油の輸送に用いられる。ここで使用するマリンホース１０は、常時浮上したまま使用するフローティングタイプのホースである。
【００１５】
図２は、マリンホースの両端に設けられるフランジの一例を示す平面図である。フランジ１２は、マリンホース１０同士を連結するためのものであり、その円筒部の外面に、マリンホースの損傷を検知するための損傷検知センサとして液漏れセンサ１３および歪ゲージ１４を備え、さらに情報処理部１５を備えている。また、フランジ１２の接合部には、ターミナルコネクタ１６を備えている。
【００１６】
液漏れセンサ１３には、例えば、液体に接触することで抵抗値が変化する金属を用いたセンサ、液体によって膨張する膨張材によって接点が切り替わるスイッチを用いたセンサが用いられる。歪ゲージ１４は、少なくとも４個備えることが好ましい。図では歪ゲージ１４を、円筒部に相対して９０°毎に４個設けて、４個の歪ゲージを結ぶ線分方向の応力を検知できるようにしている。このように配置することで、Ｙ方向、Ｚ方向の曲げ、Ｘ方向の引張、圧縮力が測定できる。更に、斜めに設置すれば、Ｘ軸廻りのねじれも測定できる。情報処理部１５は、中央処理部（ＣＰＵ）と時計部と記憶部とから構成されており、時計部は、時刻データを出力し、記憶部は、液漏れセンサ１３による液漏れの有無の情報、および歪ゲージ１４による応力値の情報を時刻データとともに記憶する。また、記憶部は、マリンホース１０毎に固有の識別情報を記憶している。
【００１７】
液漏れセンサ１３および歪ゲージ１４と情報処理部１５とは情報信号線１７で接続されている。また、情報処理部１５とターミナルコネクタ１６とは信号線１８で接続されており、信号線１８は、ターミナルコネクタ１６で信号線１９と接続されている。情報処理部１５とターミナルコネクタ１６は、一体化されていてもよい。
【００１８】
信号線１９は、後述する係留施設の情報集積装置が、複数本連結されたマリンホースの個々の情報処理部１５と信号の送受信を行うためのものであり、信号線１９の一方の端部は、ターミナルコネクタ１６に接続され、他方の端部は、マリンホース１０の他端のフランジのターミナルコネクタに接続されている。信号線１９は、隣り合うマリンホース同士を連結することによって直列に接続される。この信号線１９は、ホースの曲げに耐えるために、スパイラル状に巻かれて、あるいはジグザグ形状でホース内に埋め込まれている。
【００１９】
係留施設から最も遠いマリンホースのターミナルコネクタは、マリンホースからの情報収集に影響がなければ開放のままでも良いが、影響があればターミナルコネクタに終端装置を付ける。
【００２０】
また、ターミナルコネクタ１６には、電源線２０が接続されている。電源線２０は、後述する係留施設の電力供給装置が、各マリンホースの液漏れセンサ１３、歪ゲージ１４および情報処理部１５に電力を供給するためのものであり、電源線２０の一方の端部は、ターミナルコネクタ１６に接続され、他方の端部は、マリンホース１０の他端のフランジのターミナルコネクタに接続されている。液漏れセンサ１３、歪ゲージ１４および情報処理部１５には図示しない電源線を介して電源線２０から電力が供給される。この電源線２０も信号線１９と同様に、ホースの曲げに耐えるために、スパイラル状に巻かれて、あるいはジグザグ形状でホース内に埋め込まれている。また、ターミナルコネクタ１６には、電源線を介して液漏れセンサ１３、歪ゲージ１４および情報処理部１５に電力を供給するための小型の電力供給装置（例えば、バッテリー）を内蔵しても良い。
【００２１】
フランジの円筒部外面の液漏れセンサ１３、歪ゲージ１４および情報処理部１５が設けられている部分は、内面ゴム、補強繊維層、外面ゴムからなるマリンホース本体１１で覆われる。図３は、フランジの側面図（ａ）および液漏れセンサ１３、歪ゲージ１４および情報処理部１５がマリンホース本体で覆われた状態のマリンホースのフランジ部分の正面図（ｂ）である。信号線１９および電源線２０は、外皮もしくは浮力層の内部に埋設される。
【００２２】
マリンホース１０のフランジ１２と、連結される隣のマリンホースのフランジとは、ターミナルコネクタ１６で信号線１９や電源線２０同士が電気的に接続された状態で、ボルトとナットにより連結固定される。図４は、フランジの接合部の他の例を示す図である。図３では、ターミナルコネクタをフランジの接合面に設けているが、図４では、ターミナルコネクタをフランジの接合部外周面に設けており、マリンホースの一方のフランジ１２ａに、凸状部を有するターミナルコネクタ１６ａを備え、他方のフランジ１２ｂに、凹状部を有するターミナルコネクタ１６ｂを備えていて、ターミナルコネクタ１６ａとターミナルコネクタ１６ｂが互いに嵌合するようになっている。このように、ターミナルコネクタをフランジの接合部外周面に設けると、ターミナルコネクタを、マリンホースを連結する際の位置合わせに用いることができる。
【００２３】
図５に、複数のマリンホース１０を連結したホースラインの一例を示す。このホースライン２１は、タンカーなどの船２２から海上に浮く一点係留ブイ２３までの間に設置され、海上に浮遊する複数のマリンホース１０を連結した構造になっている。
【００２４】
図６は、ホースライン２１が係留施設である一点係留ブイ２３に接続される部分の拡大図であり、図７は、一点係留ブイの機能構成図である。一点係留ブイ２３は、ホースライン２１の一方の端にあるマリンホース１０のフランジ１２と連結するための連結部２４を備え、また、一点係留ブイ２３の内部に、各マリンホース１０からの信号線１９が接続された連結部２４のターミナルコネクタ２６を介して、各マリンホース１０の液漏れセンサ１３および歪ゲージ１４から伝達される情報を集積する情報集積装置２５と、情報集積装置２５を作動させ、さらに電源線２０を介して各マリンホース内の液漏れセンサ１３、歪ゲージ１４および情報処理部１５に電力を供給するための電力供給装置２９を備え、さらに、一点係留ブイ２３の上面に、携帯型のコンピュータ３１を接続して、情報集積装置２５に集積されている液漏れセンサ１３および歪ゲージ１４の情報をデータとして外部に取り出すための外部接続部３０を備える。外部接続部３０は、コンピュータ３１を接続しないときは、内部に海水が入らないように蓋で覆われるようになっている。
【００２５】
情報集積装置２５は、連結部２４のターミナルコネクタ２６から各マリンホース１０の情報処理部１５に対して、液漏れセンサ１３および歪ゲージ１４の情報を読み出す指示を出して情報処理部１５から情報を集積する中央処理部（ＣＰＵ）２７と、各マリンホースから伝達された情報（応力や液漏れ等の情報）を記録する記録部２８を備えている。
【００２６】
電力供給装置２９には、ソーラーバッテリーやバッテリーを用いることも可能である。電力供給装置２９にソーラーバッテリーを用いた場合には、太陽光により常時充電が行われので、各マリンホースの液漏れセンサ１３、歪ゲージ１４に連続して電力を供給でき、各マリンホースにおいて、連続して液漏れの有無、ホース内に生ずる歪を検出することができる。
【００２７】
上述した実施の形態では、係留施設である一点係留ブイに、各マリンホースの歪ゲージおよび液漏れセンサに電力を供給するための電力供給装置を設置するので、各マリンホースに電力供給装置を備える場合と比べて、大きな電力を歪ゲージや液漏れセンサに安定して供給できるため、マリンホースの情報を安定して得ることができる。さらに、係留施設にのみ電力供給装置を設置するので、各マリンホースに電力供給装置を備える場合と比べて、電力供給装置のメンテナンスが容易となる。
【００２８】
次に、本発明のマリンホースの管理システムの動作を図２および図７を用いて説明する。各マリンホース１０内の液漏れセンサ１３は、常に液漏れの有無を検出し、歪ゲージ１４は、常にマリンホース１０内の歪を検出しており、情報処理部１５の中央処理部は、液漏れセンサ１３が液漏れを検出した時は、液漏れ有りの情報を時計部の時刻データと共に記憶部に記憶し、歪ゲージ１４が最小設定値以上の歪を検出した時は、その応力値を時計部の時刻データと共に記憶部に記憶する。
【００２９】
情報集積装置２５の中央処理部２７は、記憶部２８に記憶されているプログラムを呼び出して実行し、一定周期で信号線１８，１９を介して各マリンホース１０の情報処理部１５に順に固有の識別情報と情報読み出し命令を出力する。
【００３０】
各マリンホース１０の情報処理部１５は、信号線１８，１９から固有の識別情報と情報読み出し命令を受信し、受信した固有の識別情報と情報処理部１５内の記憶部に記憶されているマリンホースの固有の識別情報と比較し、識別情報が一致すれば、一致したマリンホース１０の情報処理部１５は、記憶部から、液漏れの有無の情報および歪の情報を時刻データの情報と共に読み出し処理を行い、これらの情報を固有の識別情報と共に信号線１８，１９を介して一点係留ブイ２３の情報集積装置２５に出力する。
【００３１】
情報集積装置２５の中央処理部２７は、各マリンホース１０から液漏れの有無の情報、歪の情報および時刻データの情報を受信すると、記憶部２８にマリンホース１０毎にその情報を記憶する。
【００３２】
このようにして、記憶部２８には、マリンホース１０毎に液漏れセンサ１３および歪ゲージ１４の情報を過去の一定期間にわたって記憶しておく。
【００３３】
この情報を、マリンホースの保守作業員が、船でブイ２３まで行って、ブイ２３の外部接続部３０に情報取得手段である携帯型のコンピュータ３１を接続して、コンピュータ３１内に取り込む。そして、コンピュータ３１が、この情報をコンピュータの表示部に表示することにより、液漏れがあったマリンホースおよび異常な外力が加わったマリンホースを検知することができ、これに基づいてマリンホースが破壊する前の適当な時期に新しいホースに交換しておくことが可能となる。
【００３４】
上述のように、第１の実施の形態に係る発明は、保守作業員が、個々のマリンホースに近づいて個々のマリンホースから液漏れセンサおよび歪ゲージの情報を読み出す必要がなく、一点係留ブイからマリンホースの情報を一括して読み出して、損傷のあるマリンホースを検知するので、保守作業員の作業時間を少なくし、労力を軽減することができる。
【００３５】
次に、本発明の第２の実施の形態について説明する。図８は、本発明の第２の実施の形態に係る一点係留ブイの機能構成図である。第２の実施の形態は、第１の実施の形態に係る一点係留ブイに備える外部接続部の代わりに、送受信装置３２を設けたものである。送受信装置３２は、中央処理装置２７から出力される液漏れセンサ１３および歪ゲージ１４からの情報を無線により陸上に設置された送受信装置３３を経由して外部の情報取得手段であるコンピュータ３１に出力する。送受信装置３２には、電力供給装置２９から電力が供給される。送受信装置３２および送受信装置３３に、携帯電話機を用いることも可能である。図８において、図７に示す第１の実施の形態に係る一点係留ブイと同等部分は同一の符号を付してその説明を省略する。
【００３６】
次に、第２の実施の形態のマリンホースの管理システムの動作を図２および図８を用いて説明する。各マリンホース１０内の液漏れセンサ１３は、常に液漏れの有無を検出し、歪ゲージ１４は、常にマリンホース１０内の歪を検出しており、情報処理部１５の中央処理部は、液漏れセンサ１３が液漏れを検出した時は、液漏れ有りの情報を時計部の時刻データと共に記憶部に記憶し、歪ゲージ１４が閾値以上の応力を検出した時は、その応力値を時計部の時刻データと共に記憶部に記憶する。
【００３７】
情報集積装置２５の中央処理部２７は、記憶部２８に記憶されているプログラムを呼び出して実行し、一定周期で信号線１８，１９を介して各マリンホース１０の情報処理部１５に順に固有の識別情報と情報読み出し命令を出力する。
【００３８】
各マリンホース１０の情報処理部１５は、信号線１８，１９から固有の識別情報と情報読み出し命令を受信し、受信した固有の識別情報と情報処理部１５内の記憶部に記憶されているマリンホースの固有の識別情報と比較し、識別情報が一致すれば、一致したマリンホース１０の情報処理部１５は、記憶部から、液漏れの有無の情報および応力の情報を時刻データの情報と共に読み出し処理を行い、これらの情報を固有の識別情報と共に信号線１８，１９を介してブイ２３の情報集積装置２５に出力する。
【００３９】
情報集積装置２５の中央処理部２７は、信号線１８，１９から液漏れの有無の情報、歪の情報および時刻データの情報を受信すると、これらの情報を記憶部２８に記憶すると共に、直ちに送受信装置３２，３３を介してこれらの情報をコンピュータ３１に出力する。
【００４０】
そして、コンピュータ３１が、これらの情報をコンピュータの表示部に表示することにより、液漏れがあったマリンホースおよび異常な外力が加わったマリンホースを検知することができ、これに基づいてマリンホースが破壊する前の適当な時期に新しいホースに交換しておくことが可能となる。
【００４１】
上述した第２の実施の形態に係る発明は、一点係留ブイからマリンホースの情報を一括して読み出すことによって、保守作業員の作業時間を少なくし、労力を軽減するだけでなく、一点係留ブイから無線により直ちに送受信装置３２，３３を介してコンピュータ３１に送られてくるので、異常な外力が加わったマリンホースおよび液漏れがあったマリンホースをリアルタイムに検知することができる。
【００４２】
なお、上述した実施の形態では、連結した複数のマリンホースの全てについて、液漏れセンサおよび歪ゲージ等の損傷検知センサを備える場合について説明したが、本発明は、これに限るものではなく、１つおきのマリンホースに損傷検知センサを備える場合や、２つおきのマリンホースに損傷検知センサを備える場合についても適用できるものである。すなわち、本発明は、複数のマリンホースのうちの少なくとも１つのマリンホースに損傷検知センサを備える場合について適用できるものである。
【００４３】
また、連結した複数のマリンホースに外力が加わった場合には、一般に、一点係留ブイ付近のマリンホースおよびタンカー付近のマリンホースに強い応力が加わるので、一点係留ブイ側に配置される少なくとも１つのマリンホース、および／またはタンカー側に配置される少なくとも１つマリンホースに損傷検知センサを備えるようにしても良い。
【００４４】
また、上述した実施の形態では、マリンホースが、常時浮上したまま使用するフローティングタイプの場合について説明したが、本発明は、海面下で使用するサブマリンタイプや、使用時には海面に浮かせ、非使用時には海底に沈めておく浮沈タイプの場合にも適用できるものである。
【００４５】
また、本発明は、陸上のタンク等と繋がれて、海底に敷設若しくは埋設されたパイプラインの先端側のマニフォールド（ＰＬＥＭ：Ｐｉｐｅ  Ｌｉｎｅ  Ｅｎｄ  Ｍａｎｉｆｏｌｄ）と一点係留ブイとの間に使用されているブイ下ホースにも適用できるものである。
【図面の簡単な説明】
【００４６】
【図１】マリンホースの側面図である。
【図２】マリンホースの両端に設けられるフランジの一例を示す平面図である。
【図３】フランジの側面図（ａ）および液漏れセンサ、歪ゲージおよび情報処理部の部分がマリンホース本体で覆われたフランジの正面図（ｂ）である。
【図４】フランジの接合部の他の例を示す図である。
【図５】ホースラインの一例を示す図である。
【図６】ホースラインが一点係留ブイに接続される部分の拡大図である。
【図７】本発明の第１の実施の形態に係る一点係留ブイの機能構成図である。
【図８】本発明の第２の実施の形態に係る一点係留ブイの機能構成図である。
【符号の説明】
【００４７】
１０  マリンホース
１１  マリンホース本体
１２  フランジ
１３  液漏れセンサ
１４  歪ゲージ
１５  情報処理部
１６，２６  ターミナルコネクタ
１７  情報信号線
１８，１９  信号線
２０  電源線
２１  ホースライン
２２  船
２３  一点係留ブイ
２４  連結部
２５  情報集積装置
２７  中央処理部
２８  記憶部
２９  電力供給装置
３０  外部接続部
３１  コンピュータ
３２，３３  送受信装置
【図１】
2006207799.tif 000003
【図２】
2006207799.tif 000004
【図３】
2006207799.tif 000005
【図４】
2006207799.tif 000006
【図５】
2006207799.tif 000007
【図６】
2006207799.tif 000008
【図７】
2006207799.tif 000009
【図８】
2006207799.tif 000010